(57)【特許請求の範囲】
【請求項１】
建物の壁に固定し、上向きのフックを上下多段に形成する帯板状の取付板と、前記フックに掛けて固定する壁パネルとを備えてなり、前記取付板は、天井側の目地板、床側の幅木と同一厚さの下地板を介し、前記目地板、幅木に掛け渡すようにして壁に固定し、前記壁パネルは、表面材を裏側にまで折り返して左右の両辺に内向きのフランジを形成するとともに、前記フックに対応する長孔を前記各フランジに形成し、前記各フックは、前記取付板の表面との間に形成する係合部の上側に斜めのガイド部を有し、該ガイド部を介して前記フランジを前記係合部にガイドすることにより、前記フランジを壁側に弾性変形させながら前記長孔に係合することを特徴とする壁パネルの取付構造。
【請求項２】
前記フランジは、前記壁パネルの側端面に対して角度７０〜８０°に形成することを特徴とする請求項１記載の壁パネルの取付構造。
【請求項３】
前記各フックは、前記ガイド部の下側の頂部を介して前記フランジを弾性変形させることを特徴とする請求項１または請求項２記載の壁パネルの取付構造。
【請求項４】
前記取付板は、前記下地板の目盛に合わせるレベルマークを備えることを特徴とする請求項１ないし請求項３のいずれか記載の壁パネルの取付構造。
【請求項５】
前記壁パネルは、前記幅木に設けるパネル受により下端を支持することを特徴とする請求項１ないし請求項４のいずれか記載の壁パネルの取付構造。
【発明の詳細な説明】
【０００１】
【発明の属する技術分野】
この発明は、室内空間を最大に有効利用することができる壁パネルの取付構造に関する。
【０００２】
【従来の技術】
建物の壁面は、内装用の壁パネルを使用して仕上げることがある。
【０００３】
従来の壁パネルは、上向きのフック付きの支柱と組み合わせて固定する。すなわち、建物の壁に沿って支柱を立設し、壁パネルは、左右のフランジを支柱のフックに係合させて固定することができる。
【０００４】
【発明が解決しようとする課題】
かかる従来技術によるときは、支柱は、壁と壁パネルとの間に無駄な隙間を形成するから、室内空間の利用効率が悪くなり、不都合であるという問題があった。
【０００５】
そこで、この発明の目的は、かかる従来技術の問題に鑑み、フック付きの取付板を利用することによって、室内空間を最大に有効利用することができる壁パネルの取付構造を提供することにある。
【０００６】
【課題を解決するための手段】
かかる目的を達成するためのこの発明の構成は、建物の壁に固定し、上向きのフックを上下多段に形成する帯板状の取付板と、フックに掛けて固定する壁パネルとを備えてなり、取付板は、天井側の目地板、床側の幅木と同一厚さの下地板を介し、目地板、幅木に掛け渡すようにして壁に固定し、壁パネルは、表面材を裏側にまで折り返して左右の両辺に内向きのフランジを形成するとともに、フックに対応する長孔を各フランジに形成し、各フックは、取付板の表面との間に形成する係合部の上側に斜めのガイド部を有し、ガイド部を介してフランジを係合部にガイドすることにより、フランジを壁側に弾性変形させながら長孔に係合することをその要旨とする。
【０００７】
なお、フランジは、壁パネルの側端面に対して角度７０〜８０°に形成することができる。
【０００８】
また、各フックは、ガイド部の下側の頂部を介してフランジを弾性変形させてもよい。
【００１０】
さらに、取付板は、下地板の目盛に合わせるレベルマークを備えてもよく、壁パネルは、幅木に設けるパネル受により下端を支持してもよい。
【００１１】
【作用】
かかる発明の構成によるときは、取付板は、壁に固定し、上向きのフックに壁パネルを掛けることにより、壁パネルを壁に固定することができる。なお、取付板は、たとえば幅約１００mm、長さ約２５００mm、厚さ１〜２mm程度の帯板状に形成し、上向きのフックを上下多段に形成する。また、壁パネルは、表面材を裏側にまで折り返して左右の両辺に内向きのフランジを形成し、フランジの長孔をフックに係合させて固定することができる。ただし、フランジは、壁パネルの側端面に対して角度約７０〜８０°に折り曲げることにより、壁パネルの厚さ方向に弾性変形しながらフックに係合し、壁パネルを壁側に引き付けることができる。
【００１２】
目地板、幅木に掛け渡す取付板は、目地板、幅木に両端部をねじ止めして固定することができる。なお、このとき、取付板のフックは、少なくとも取付板の上部、中間部、下部に設けるものとする。
【００１３】
下地板を介して固定する取付板は、目地板と幅木との各表面の間に掛け渡しても、壁との間に不要な隙間を生じることがなく、壁パネルの安定性を損うおそれがない。なお、下地板は、目地板、幅木と同一厚さの板材を使用するものとする。
【００１４】
下地板は、壁に接着して強固に取り付けることができる。なお、下地板は、壁がプラスタボードや合板などの場合、壁にねじ止めし、または接着とねじ止めとを併用して固定することができる。
【００１５】
取付板は、レベルマークを備えることにより、壁や下地板のマークにレベルマークを合わせて固定し、壁パネルの取付高さを一定に揃えることができる。なお、レベルマークは、取付板を切り欠いて形成してもよく、印刷やけがき等により取付板に表示してもよい。
【００１６】
壁パネルは、パネル受により下端を支持することにより、一層安定に、しかも同一高さに揃えて固定することができる。
【００１７】
【発明の実施の形態】
以下、図面を以って発明の実施の形態を説明する。
【００１８】
壁パネルの取付構造は、建物の壁Ｗに固定するフック１１ａ、１１ａ…付きの取付板１１と、壁パネル２１とを備えてなる（図１、図２）。ただし、取付板１１は、左右に隣接する２枚の壁パネル２１、２１に共用され、壁パネル２１は、左右の取付板１１、１１を介して固定するものとする。なお、図１には、各１枚の壁パネル２１、取付板１１のみが図示されている。
【００１９】
建物の壁Ｗは、たとえばコンクリートやプラスタボード、合板などにより形成されている。また、壁Ｗの天井側、床側には、それぞれ目地板Ｗa 、幅木Ｗb が付設されており、目地板Ｗa 、幅木Ｗb は、それぞれ止めねじＮ、Ｎ…を介して壁Ｗに固定されている。ただし、目地板Ｗa 、幅木Ｗb は、両面テープ、接着剤などを併用して壁Ｗに固定してもよい。
【００２０】
取付板１１は、下地板１２を介して壁Ｗに縦に固定されている。下地板１２は、目地板Ｗa 、幅木Ｗb と同一の厚さ約１mm程度の鋼板であり、取付板１１より幅広に形成され、所定高さに目盛１２ｂが表示されている。下地板１２は、図示しない接着剤と、仮止め用の止めねじ１２ａ、１２ａ…とを介し、目地板Ｗa 、幅木Ｗb の間において、壁Ｗに強固に固定されている。
【００２１】
取付板１１は、厚さ１〜２mm程度の帯板状の鋼板から形成され、切り起しにより左右２列の上向きのフック１１ａ、１１ａ…が上部、中間部、下部に形成されている（図１、図３）。各フック１１ａは、取付板１１の表面との間に係合部１１ａ1 を形成し、係合部１１ａ1 の上側に斜めのガイド部１１ａ2 が形成されている。また、取付板１１の一方の長辺には、下地板１２の目盛１２ｂに対応するようにして、小さな三角形の切欠きによるレベルマーク１１ｂが形成されている。
【００２２】
取付板１１は、レベルマーク１１ｂを下地板１２の目盛１２ｂに合わせ、止めねじ１１ｃ、１１ｃ…と図示しない接着剤とを介し、目地板Ｗa 、幅木Ｗb に掛け渡すようにして下地板１２上に固定されている。なお、取付板１１は、止めねじ１１ｃ、１１ｃを介して目地板Ｗa 、幅木Ｗb にも固定されている。一方、幅木Ｗb 上には、止めねじ１３ａを介してパネル受１３、１３…が同一高さにねじ止めされている。ただし、パネル受１３は、１枚の壁パネル２１ごとに左右の２個を設けるものとする。
【００２３】
各壁パネル２１は、プラスタボード２１ｂに表面材２１ａを組み合わせて形成されている（図１、図２）。壁パネル２１の左右の両辺には、それぞれ表面材２１ａを裏側にまで折り返してフランジ２１ｃが形成されており、各フランジ２１ｃには、取付板１１の各列のフック１１ａ、１１ａ…に対応して長孔２１ｃ1 、２１ｃ1 …が上下に形成されている。また、フランジ２１ｃは、壁パネル２１の側端面に対して角度θ≒７０〜８０°に形成されている。
【００２４】
壁パネル２１は、左右のフランジ２１ｃ、２１ｃの長孔２１ｃ1 、２１ｃ1 …に対し、左右の取付板１１、１１のフック１１ａ、１１ａ…を差し込み（図２、図４の各矢印Ｋ1 方向）、壁Ｗに沿って下方に移動させることにより（図４の矢印Ｋ2 方向、二点鎖線）、フック１１ａ、１１ａ…に掛けて壁Ｗに固定することができる。このとき、各フック１１ａは、ガイド部１１ａ2 を介してフランジ２１ｃを係合部１１ａ1 にガイドし（図３）、フランジ２１ｃを壁Ｗ側に僅かに弾性変形させながら長孔２１ｃ1 に係合することにより、壁パネル２１を壁Ｗ側に引き付けることができる。また、パネル受１３、１３は、壁パネル２１の下端を下側から支持し（図１、図４）、目地板Ｗa 、幅木Ｗb は、それぞれ壁パネル２１の上端と天井Ｃとの間、壁パネル２１の下端と床Ｆの仕上面Ｆa との間を体裁よくカバーする。
【００２５】
壁パネル２１は、壁Ｗの内向きまたは外向きのコーナ部分に対し、取付板１１、１１を介して固定することができる（図５）。すなわち、壁Ｗのコーナ部分に近い取付板１１、１１は、それぞれフック１１ａ、１１ａ…を上下に１列に形成し、内向きのコーナ部分の両側に設置することにより（同図（Ａ））、壁パネル２１、２１を直角に配置して固定することができる。また、外向きのコーナ部分の両側に設置する取付板１１、１１は、それぞれのフック１１ａ、１１ａ…を介し、コーナ部分を外側からカバーするようにして、直角に屈曲する壁パネル２１を固定することができる（同図（Ｂ））。ただし、壁Ｗの内向きのコーナ部分に対し、直角に屈曲する壁パネル２１を適用してもよい（図６）。
【００２６】
【他の実施の形態】
取付板１１は、フック１１ａ、１１ａ…を左右両側に突出させて形成してもよい（図７、図８）。各フック１１ａは、ガイド部１１ａ2 の下側の頂部Ｐにおいて係合部１１ａ1 の有効幅が最小となるように形成されている。取付板１１は、下地板１２上に接着し、下地板１２を介して壁Ｗに固定することができ、各フック１１ａは、フランジ２１ｃの長孔２１ｃ1 を係合部１１ａ1 に係合させることにより、頂部Ｐを介してフランジ２１ｃを弾性変形させ、壁パネル２１を壁Ｗ側に引き付けて固定することができる。
【００２７】
以上の説明において、図７、図８に示す各フック１１ａは、切り起しにより図１〜図６の取付板１１に形成してもよく、図１〜図６に示す各フック１１ａは、図７、図８の取付板１１に形成してもよい。また、各パネル受１３は、幅木Ｗb に一体に形成してもよい（図９）。すなわち、幅木Ｗb は、表面側に上向きルーバ状に膨出させてパネル受１３を形成することができ（同図（Ａ）、（Ｂ））、パネル受１３は、壁パネル２１の幅方向に１個を長く形成してもよく、壁パネル２１の幅内に左右の２個を短く形成してもよい。また、幅木Ｗb は、切り起しにより前方に突出する舌片状のパネル受１３、１３を形成してもよい（同図（Ｃ）、（Ｄ））。ただし、図９（Ｂ）、（Ｄ）は、それぞれ同図（Ａ）、（Ｃ）のＡ−Ａ線、Ｃ−Ｃ線矢視相当拡大断面説明図である。
【００２８】
【発明の効果】
以上説明したように、この発明によれば、上向きのフック付きの取付板を壁に固定することによって、取付板は、フックに壁パネルを掛けて固定することができるから、壁と壁パネルとの間に生じる隙間を最小に抑え、室内空間を最大に有効利用することができるという優れた効果がある。
【図面の簡単な説明】
【図１】  全体構成分解斜視説明図
【図２】  図１のＸ−Ｘ線矢視相当拡大断面図
【図３】  図２のＹ−Ｙ線矢視相当拡大断面図
【図４】  使用状態説明図（１）
【図５】  使用状態説明図（２）
【図６】  使用状態説明図（３）
【図７】  他の実施の形態を示す分解斜視説明図
【図８】  他の実施の形態を示す図３相当図
【図９】  他の実施の形態を示す要部構成説明図
【符号の説明】
Ｗ…壁
Ｗa …目地板
Ｗb …幅木
１１…取付板
１１ａ…フック
１１ｂ…レベルマーク
１２…下地板
１３…パネル受
２１…壁パネル
【図１】
0004122494.tif 000002
【図２】
0004122494.tif 000003
【図３】
0004122494.tif 000004
【図４】
0004122494.tif 000005
【図５】
0004122494.tif 000006
【図６】
0004122494.tif 000007
【図７】
0004122494.tif 000008
【図８】
0004122494.tif 000009
【図９】
0004122494.tif 000010